(57)【要約】【課題】待ち合わせ場所への到着を知らせることを目的としている。【解決手段】待ち合わせ場所に設定された街路灯のＩＤと、当該街路灯で待ち合わせるグループに属するユーザそれぞれのＩＤとを対応付けて格納するテーブルと、携帯端末が送信し、前記街路灯が受信したユーザのＩＤ及び当該ユーザのＩＤを受信した前記街路灯のＩＤを前記テーブルと参照する参照部と、前記街路灯が受信したユーザのＩＤ及び当該ユーザのＩＤを受信した街路灯のＩＤに基づいて、前記待ち合わせ場所に設定された街路灯にユーザが到着したか否かを判定する判定部と、前記ユーザの前記待ち合わせ場所への到着に応答して、ユーザのＩＤを受信した前記待ち合わせ場所以外の街路灯の点灯形態を変更する点灯制御部と、を有する。【選択図】図９
2019087405.tif 000002
【特許請求の範囲】
【請求項１】
待ち合わせ場所に設定された街路灯のＩＤと、当該街路灯で待ち合わせるグループに属するユーザそれぞれのＩＤとを対応付けて格納するテーブルと、
携帯端末が送信し、前記街路灯が受信したユーザのＩＤ及び当該ユーザのＩＤを受信した前記街路灯のＩＤを前記テーブルと参照する参照部と、
前記街路灯が受信したユーザのＩＤ及び当該ユーザのＩＤを受信した街路灯のＩＤに基づいて、前記待ち合わせ場所に設定された街路灯にユーザが到着したか否かを判定する判定部と、
前記ユーザの前記待ち合わせ場所への到着に応答して、ユーザのＩＤを受信した前記待ち合わせ場所以外の街路灯の点灯形態を変更する点灯制御部と、
を有することを特徴とする情報発信装置。
【請求項２】
前記待ち合わせ場所以外の街路灯が、携帯端末が送信した、前記グループに属するユーザのＩＤを受信したか否かを判定する通過判定部を有し、
前記点灯制御部は、
前記通過判定部により、前記ユーザのＩＤを受信したと判定されたとき、前記待ち合わせ場所以外の街路灯の点灯形態を変更する、請求項１記載の情報発信装置。
【請求項３】
前記待ち合わせ場所以外の街路灯が受信した前記ユーザのＩＤによって特定される携帯端末に対し、前記待ち合わせ場所への到着したユーザが存在することを通知する通知部を有する、請求項２記載の情報発信装置。
【請求項４】
コンピュータによる情報発信方法であって、該コンピュータが、
携帯端末が送信し、待ち合わせ場所に設定された街路灯が受信したユーザのＩＤ及び当該ユーザのＩＤを受信した前記街路灯のＩＤを、待ち合わせ場所に設定された街路灯のＩＤと、当該街路灯で待ち合わせるグループに属するユーザそれぞれのＩＤとを対応付けて格納するテーブルと参照し、
前記街路灯が受信したユーザのＩＤ及び当該ユーザのＩＤを受信した街路灯のＩＤに基づいて、前記待ち合わせ場所に設定された街路灯にユーザが到着したか否かを判定し、
前記ユーザの前記待ち合わせ場所への到着に応答して、ユーザのＩＤを受信した前記待ち合わせ場所以外の街路灯の点灯形態を変更する、
ことを特徴とする情報発信方法。
【請求項５】
携帯端末が送信し、待ち合わせ場所に設定された街路灯が受信したユーザのＩＤ及び当該ユーザのＩＤを受信した前記街路灯のＩＤを、待ち合わせ場所に設定された街路灯のＩＤと、当該街路灯で待ち合わせるグループに属するユーザそれぞれのＩＤとを対応付けて格納するテーブルと参照し、
前記街路灯が受信したユーザのＩＤ及び当該ユーザのＩＤを受信した街路灯のＩＤに基づいて、前記待ち合わせ場所に設定された街路灯にユーザが到着したか否かを判定し、
前記ユーザの前記待ち合わせ場所への到着に応答して、ユーザのＩＤを受信した前記待ち合わせ場所以外の街路灯の点灯形態を変更する、処理をコンピュータに実行させることを特徴とする情報発信プログラム。
【請求項６】
街路灯と、前記街路灯と通信する情報発信装置と、を有する情報発信システムであって、
前記街路灯は、
携帯端末からのユーザのＩＤの受信に応答して、前記ユーザのＩＤ及び当該ユーザのＩＤを受信した街路灯のＩＤを前記情報発信装置に送信する識別子送信部
を有し、
前記情報発信装置は、
待ち合わせ場所に設定された街路灯のＩＤと、当該街路灯で待ち合わせるグループに属するユーザそれぞれのＩＤとを対応付けて格納するテーブルと、
前記街路灯の前記識別子送信部から受信した前記ユーザのＩＤ及び前記街路灯のＩＤを前記テーブルと参照する参照部と、
前記街路灯が受信したユーザのＩＤ及び当該ユーザのＩＤを受信した街路灯のＩＤに基づいて、前記待ち合わせ場所に設定された街路灯にユーザが到着したか否かを判定する判定部と、
前記ユーザの前記待ち合わせ場所への到着に応答して、ユーザのＩＤを受信した前記待ち合わせ場所以外の街路灯の点灯形態を変更する点灯制御部と、
を有することを特徴とする情報発信システム。
【発明の詳細な説明】
【技術分野】
【０００１】
本発明は、情報発信装置、情報発信方法、情報発信プログラム及び情報発信システムに関する。
【背景技術】
【０００２】
近年では、インターネットの普及により、時間や場所を問わず、メッセージの送受信等の通信が可能となっている。
【０００３】
例えば、従来では、待ち合わせにおいて、待ち合わせ場所のゾーンに到着したことを、携帯端末の発呼等を用いて通知する技術等が知られている。
【先行技術文献】
【特許文献】
【０００４】
【特許文献１】特開平１１−３４１５４６号公報
【特許文献２】特開２０００−２５１５０２号公報
【発明の概要】
【発明が解決しようとする課題】
【０００５】
従来では、ある人が特定の場所に到着したことを、その場所から離れた場所にいる人に通知する場合、携帯端末等を用いて、特定の場所に到着したことを知らせるメッセージ等を送信しなければ、特定の場所に到着したことを通知できない。例えば、待ち合わせ等では、待ち合わせ場所に到着した人は、待ち合わせ相手が、待ち合わせ時刻を過ぎても待ち合わせ場所に到着しない状態となって、ようやくメッセージを送信し、自身の待ち合わせ場所への到着を相手に知らせる場合がある。
【０００６】
１つの側面では、本発明は、待ち合わせ場所への到着を知らせることを目的としている。
【課題を解決するための手段】
【０００７】
一つ態様では、待ち合わせ場所に設定された街路灯のＩＤと、当該街路灯で待ち合わせるグループに属するユーザそれぞれのＩＤとを対応付けて格納するテーブルと、携帯端末が送信し、前記街路灯が受信したユーザのＩＤ及び当該ユーザのＩＤを受信した前記街路灯のＩＤを前記テーブルと参照する参照部と、前記街路灯が受信したユーザのＩＤ及び当該ユーザのＩＤを受信した街路灯のＩＤに基づいて、前記待ち合わせ場所に設定された街路灯にユーザが到着したか否かを判定する判定部と、前記ユーザの前記待ち合わせ場所への到着に応答して、ユーザのＩＤを受信した前記待ち合わせ場所以外の街路灯の点灯形態を変更する点灯制御部と、を有する。
【０００８】
上記各部は、上記各部を実現する処理、各部を実現する手順としても良く、各処理をコンピュータに実行させるプログラムを記憶したコンピュータ読み取り可能な記憶媒体とすることもできる。
【発明の効果】
【０００９】
待ち合わせ場所への到着を知らせることができる。
【図面の簡単な説明】
【００１０】
【図１】第一の情報発信システムの概要を説明する図である。
【図２】第一の実施形態の情報発信システムのシステム構成の一例を示す図である。
【図３】第一の実施形態の情報発信装置のハードウェア構成の一例を説明する図である。
【図４】第一の実施形態の街路灯のハードウェア構成の一例を説明する図である。
【図５】第一の実施形態の街路灯データベースの一例を示す図である。
【図６】第一の実施形態の待ち合わせ管理データベースの一例を示す図である。
【図７】第一の実施形態の到着時刻データベースの一例を示す図である。
【図８】第一の実施形態の情報発信システムの有する各装置の機能を説明する図である。
【図９】第一の実施形態の情報発信装置の動作を説明するフローチャートである。
【図１０】第二の実施形態の情報発信システムのシステム構成の一例を示す図である。
【図１１】第二の実施形態の街路灯データベースの一例を示す図である。
【図１２】第二の実施形態のユーザデータベースの一例を示す図である。
【図１３】第二の実施形態の情報発信システムの有する各装置の機能を説明する図である。
【図１４】第二の実施形態のテーブル管理部による待ち合わせ情報の生成の処理を説明するフローチャートである。
【図１５】第二の実施形態の情報発信装置の動作を説明するフローチャートである。
【図１６】第二の実施形態の携帯端末における表示例を示す図である。
【図１７】第三の実施形態の情報発信装置の動作を説明するフローチャートである。
【図１８】第三の実施形態の携帯端末における表示例を示す図である。
【発明を実施するための形態】
【００１１】
（第一の実施形態）
以下に、図面を参照して第一の実施形態について説明する。図１は、第一の情報発信システムの概要を説明する図である。
【００１２】
本実施形態の情報発信システム１は、街路灯１００と、情報発信装置２００と、携帯端末３００とを有する。本実施形態の情報発信システム１では、待ち合わせ場所の目印とされた街路灯１００−１の近傍に、待ち合わるグループに属する人が到着したことを、街路灯１００−１以外の街路灯１００−２を用いて、待ち合わせ場所に到着していない人に通知する。
【００１３】
図１の情報発信システム１では、街路灯１００−１が、待ち合わせ場所の目印とされた場合を示している。
【００１４】
本実施形態の情報発信システム１において街路灯１００−１は、待ち合わるグループに属する人の携帯端末３００−１を検出すると、この携帯端末を検出したことを情報発信装置２００へ通知する。言い換えれば、街路灯１００−１は、携帯端末３００−１のユーザが待ち合わせ場所に到着したことを検出すると、情報発信装置２００へユーザの到着を通知する。
【００１５】
情報発信装置２００は、待ち合わせ場所の目印とされた街路灯１００−１と、街路灯１００−１の近傍で待ち合わるグループに属する人達の携帯端末３００とが対応付けられた待ち合わせ情報を保持している。
【００１６】
情報発信装置２００は、街路灯１００−１から、携帯端末３００−１を検出したことを示す通知を受信すると、待ち合わせ情報を参照し、携帯端末３００−１が街路灯１００−１と対応付けられているか否かを判定する。そして、情報発信装置２００は、携帯端末３００−１と街路灯１００−１とが対応付けられていた場合に、街路灯１００−１以外の街路灯１００−２の点灯形態を変更させる。
【００１７】
本実施形態では、このように、待ち合わるグループに属する人が、待ち合わせ場所の目印とされた街路灯１００−１の近傍に到着すると、街路灯１００−１以外の街路灯１００−２の点灯形態を変更させる。
【００１８】
このため、本実施形態の情報発信システム１では、例えば、待ち合せるグループに属する人達の中で、街路灯１００−１の近傍に到着していない人に対して、待ち合わせの相手が街路灯１００−１の近傍に到着していることを通知できる。
【００１９】
尚、以下の説明では、待ち合わせの目印とされた街路灯１００を待ち合わせ場所となる街路灯１００と呼ぶ。
【００２０】
図２は、第一の実施形態の情報発信システムのシステム構成の一例を示す図である。本実施形態の情報発信システム１は、街路灯１００−１、１００−２、１００−３と、情報発信装置２００と、携帯端末３００と、を有する。
【００２１】
本実施形態の街路灯１００−１、１００−２、１００−３は、それぞれが、通知制御部１１０−１、１１０−２、１１０−３を有する。以下の説明では、街路灯１００−１、１００−２、１００−３のそれぞれを区別しない場合には、街路灯１００と呼ぶ。また、以下の説明では、通知制御部１１０−１、１１０−２、１１０−３のそれぞれを区別しない場合には、通知制御部１１０と呼ぶ。
【００２２】
尚、図２の例では、街路灯１００は３台としたが、これに限定されない。情報発信システム１に含まれる街路灯１００の数は、任意の数であって良い。また、携帯端末３００も同様に、情報発信システム１に含まれる携帯端末３００の数は任意の数であって良い。
【００２３】
本実施形態の街路灯１００において、通知制御部１１０は、街路灯１００を中心とする所定範囲の領域に到達するビーコン信号を発信し、このビーコン信号を受信した携帯端末３００から送信される応答信号を受信する。また、通知制御部１１０は、携帯端末３００から応答信号を受信すると、受信した応答信号を情報発信装置２００へ送信する。
【００２４】
本実施形態において、携帯端末３００から街路灯１００へ送信される応答信号とは、携帯端末３００を識別する識別子となり得る信号である。本実施形態における応答信号は、携帯端末３００のユーザを特定する信号となり得る。以下の説明では、携帯端末３００から街路灯１００に送信される応答信号を、ユーザＩＤと呼ぶ。
【００２５】
本実施形態の情報発信装置２００は、街路灯データベース２１０、待ち合わせ管理データベース２２０、到着時刻データベース２３０、情報発信処理部２４０を有する。
【００２６】
街路灯データベース２１０は、街路灯１００を識別するための識別情報（街路灯のＩＤ）と、街路灯１００が設置された場所とが対応付けられた情報が格納されている。
【００２７】
待ち合わせ管理データベース２２０は、待ち合わせ場所となる街路灯１００と、待ち合わせを行う人の携帯端末３００と、待ち合わせ時刻と、を対応付けた情報が格納されている。待ち合わせを行う人とは、情報発信システム１のユーザであるため、以下の説明では、待ち合わせを行う人をユーザと呼ぶ。
【００２８】
到着時刻データベース２３０は、街路灯１００によって受信されたユーザＩＤと、街路灯１００がユーザＩＤを受信した時刻とを対応付けた情報が格納されている。
【００２９】
情報発信処理部２４０は、待ち合わせ場所となる街路灯１００から受信したユーザＩＤが、待ち合わるグループに属するユーザのユーザＩＤである場合に、待ち合わせ場所となる街路灯１００以外の街路灯１００の点灯形態を変更させる。
【００３０】
本実施形態の携帯端末３００は、街路灯１００からビーコン信号を受信すると、応答信号を街路灯１００へ送信する。
【００３１】
尚、本実施形態では、携帯端末３００が情報発信システム１に含まれるものとしたが、これに限定されない。携帯端末３００は、情報発信システム１に含まれなくても良い。言い換えれば、情報発信システム１は、街路灯１００と情報発信装置２００を含み、携帯端末３００を含んでいなくても良い。
【００３２】
図３は、第一の実施形態の情報発信装置のハードウェア構成の一例を説明する図である。図３に示すハードウェア構成は、図２に示す情報発信装置２００の各データベースと、情報発信処理部２４０とを実現する。
【００３３】
本実施形態の情報発信装置２００は、それぞれバスＢで相互に接続されている入力装置２１、出力装置２２、ドライブ装置２３、補助記憶装置２４、メモリ装置２５、演算処理装置２６及びインターフェース装置２７を含む情報処理装置である。
【００３４】
入力装置２１は、各種の情報の入力を行うための装置であり、例えばキーボードやポインティングデバイス等により実現される。出力装置２２は、各種の情報の出力を行うためものであり、例えばディスプレイ等により実現される。インターフェース装置２７は、ＬＡＮカード等を含み、ネットワークに接続する為に用いられる。
【００３５】
情報発信プログラムは、情報発信装置２００を制御する各種プログラムの少なくとも一部である。情報発信プログラムは例えば記憶媒体２８の配布やネットワークからのダウンロード等によって提供される。情報発信プログラムを記録した記憶媒体２８は、ＣＤ−ＲＯＭ、フレキシブルディスク、光磁気ディスク等の様に情報を光学的、電気的或いは磁気的に記録する記憶媒体、ＲＯＭ、フラッシュメモリ等の様に情報を電気的に記録する半導体メモリ等、様々なタイプの記憶媒体を用いることができる。
【００３６】
また、情報発信プログラムは、情報発信プログラムを記録した記憶媒体２８がドライブ装置２３にセットされると、記憶媒体２８からドライブ装置２３を介して補助記憶装置２４にインストールされる。ネットワークからダウンロードされた情報発信プログラムは、インターフェース装置２７を介して補助記憶装置２４にインストールされる。
【００３７】
補助記憶装置２４は、インストールされた情報発信プログラムを格納すると共に、図２における街路灯ＤＢ２１０、待ち合わせ管理ＤＢ２２０、到着時刻ＤＢ２３０等の必要なファイル、データ等を格納する。メモリ装置２５は、情報発信装置２００の起動時に補助記憶装置２４から情報発信プログラムを読み出して格納する。そして、演算処理装置２６はメモリ装置２５に格納された情報発信プログラムに従って、情報発信処理部２４０における、後述するような各種処理を実現している。
【００３８】
本実施形態の携帯端末３００のハードウェア構成は、情報発信装置２００と同様であるから、説明を省略する。尚、携帯端末３００は、例えば、タブレット型の携帯端末や、スマートフォン等であっても良く、入力装置２１と出力装置２２との代わりに、タッチパネル等により実現される表示操作装置を有していても良い。
【００３９】
図４は、第一の実施形態の街路灯のハードウェア構成の一例を説明する図である。
【００４０】
本実施形態の街路灯１００は、それぞれバスＢで相互に接続されている発光体１０１、通信装置１０２、ドライブ装置１０３、補助記憶装置１０４、メモリ装置１０５、演算処理装置１０６及びインターフェース装置１０７を含む情報処理装置である。
【００４１】
発光体１０１は、例えばＬＥＤ（Light  Emitting  Diode）等である。通信装置１０２は、例えば照明装置２０の周囲に対して送信要求信号を送信し、応答を受け付けるための装置である。インターフェース装置１０７はネットワークに接続する為に用いられる。
【００４２】
発光制御プログラムは、街路灯１００を制御する各種プログラムの少なくとも一部である。発光制御プログラムは例えば記憶媒体１０８の配布やネットワークからのダウンロードなどによって提供される。発光制御プログラムを記録した記憶媒体１０８は、ＣＤ−ＲＯＭ、フレキシブルディスク、光磁気ディスク等の様に情報を光学的、電気的或いは磁気的に記録する記憶媒体、ＲＯＭ、フラッシュメモリ等の様に情報を電気的に記録する半導体メモリ等、様々なタイプの記憶媒体を用いることができる。
【００４３】
また、発光制御プログラムは、発光制御プログラムを記録した記憶媒体１０８がドライブ装置１０３にセットされると、記憶媒体１０８からドライブ装置１０３を介して補助記憶装置１０４にインストールされる。ネットワークからダウンロードされた発光制御プログラムは、インターフェース装置１０７を介して補助記憶装置１０４にインストールされる。
【００４４】
補助記憶装置１０４は、インストールされた発光制御プログラムを格納すると共に、必要なファイル、データ等を格納する。メモリ装置１０５は、コンピュータの起動時に補助記憶装置１０４から発光制御プログラムを読み出して格納する。そして、演算処理装置１０６はメモリ装置１０５に格納された発光制御プログラムに従って、通知制御部１１０−１〜１１０−３における、後述するような各種処理を実現している。
【００４５】
次に、図５乃至図７を参照して、本実施形態の情報発信装置２００の有する各データベースについて説明する。
【００４６】
以下に説明する各データベースは、情報発信装置２００の補助記憶装置２４やメモリ装置２５等の記憶装置に設けられていても良いし、情報発信装置２００の外部の記憶装置に設けられていても良い。
【００４７】
図５は、第一の実施形態の街路灯データベースの一例を示す図である。本実施形態の街路灯データベース２１０は、情報の項目として、街路灯ＩＤと設置場所とを有する。項目「街路灯ＩＤ」の値は、街路灯１００を特定するための識別情報である。項目「設置場所」の値は、街路灯ＩＤによって特定される街路灯１００が設置された場所を示す。
【００４８】
街路灯データベース２１０において、項目「街路灯ＩＤ」の値と、項目「設置場所」の値とは、対応付けられており、項目「街路灯ＩＤ」の値と、項目「設置場所」の値とを含む情報を街路灯情報と呼ぶ。
【００４９】
図５の例では、街路灯ＩＤ「Ｇ００１」の街路灯１００は、○府×市中央区・・・設置されていることがわかる。
【００５０】
尚、本実施形態の街路灯データベース２１０は、予め情報発信装置２００らに設けられていても良い。
【００５１】
図６は、第一の実施形態の待ち合わせ管理データベースの一例を示す図である。本実施形態の待ち合わせ管理データベース２２０では、待ち合わせ情報をテーブルとして管理している。
【００５２】
具体的には、待ち合わせ管理データベース２２０は、情報の項目として、待ち合わせＩＤ、待ち合わせ街路灯ＩＤ、ユーザＩＤ、待ち合わせ時刻を有し、項目「待ち合わせＩＤ」と、その他の項目とが対応付けられている。本実施形態の待ち合わせ情報は、項目「待ち合わせＩＤ」の値と、その他の項目の値と、を含む情報である。本実施形態の待ち合わせ情報は、情報発信システム１のユーザによって登録される。
【００５３】
項目「待ち合わせＩＤ」の値は、待ち合わせの条件を特定するための識別情報である。項目「待ち合わせ街路灯ＩＤ」の値は、待ち合わせ場所に設定された街路灯１００の街路灯ＩＤを示す。項目「ユーザＩＤ」の値は、待ち合わせ街路灯ＩＤにおいて待ち合わせるグループに属するユーザのユーザＩＤである。項目「待ち合わせ時刻」の値は、待ち合わせの時刻を示す。
【００５４】
図６の例では、待ち合わせＩＤ「Ｍ０１」が示す待ち合わせの条件は、街路灯ＩＤ「Ｇ００１」を待ち合わせ場所として、２０１６／１１／１６の１５：００に、ユーザＩＤ「Ｕ００１」、「Ｕ００２」、「Ｕ００３」、「Ｕ００４」が待ち合わせることを示している。
【００５５】
図７は、第一の実施形態の到着時刻データベースの一例を示す図である。本実施形態の到着時刻データベース２３０は、情報の項目として、待ち合わせＩＤ、ユーザＩＤ、到着時刻を有し、項目「待ち合わせＩＤ」と、その他の項目とが対応付けられている。以下の説明では、到着時刻データベース２３０において、項目「待ち合わせＩＤ」の値と、その他の項目の値と、を含む情報を到着時刻情報と呼ぶ。
【００５６】
項目「到着時刻」の値は、対応するユーザＩＤによって特定される携帯端末３００が、待ち合わせＩＤと対応付けられた街路灯ＩＤが示す街路灯１００によって検出された時刻を示す。言い換えれば、項目「到着時刻」の値は、情報発信装置２００が、待ち合わせ情報に含まれる街路灯ＩＤが示す街路灯１００が、この街路灯１００と対応付けられユーザＩＤを携帯端末３００から受信した時刻を示す。
【００５７】
図７の例では、待ち合わせＩＤ「Ｍ００１」を含む到着時刻情報において、待ち合わせＩＤ「Ｍ００１」と対応付けられた街路灯ＩＤ「Ｇ００１」の街路灯１００は、２０１６／１１／１６の１４：５８にユーザＩＤ「Ｕ００１」を受信し、同日の１４：５９にユーザＩＤ「Ｕ００２」を受信し、同日の１５：０１にユーザＩＤ「Ｕ００３」を受信したことがわかる。
【００５８】
つまり、この到着時刻情報から、待ち合わせＩＤ「Ｍ００１」が示す待ち合わせにおいて、待ち合わせ場所の街路灯ＩＤ「Ｇ００１」の街路灯１００に、１４：５８にユーザＩＤ「Ｕ００１」が到着し、１４：５９にユーザＩＤ「Ｕ００２」が到着し、１５：０１にユーザＩＤ「Ｕ００３」が到着したことがわかる。
【００５９】
次に、図８を参照して、本実施形態の情報発信システム１の有する各装置の機能について説明する。図８は、第一の実施形態の情報発信システムの有する各装置の機能を説明する図である。
【００６０】
始めに、街路灯１００について説明する。本実施形態の街路灯１００は、通知制御部１１０を有する。
【００６１】
本実施形態の通知制御部１１０は、発光体制御部１１１、ビーコン発信部１１２、応答受信部１１３、識別子送信部１１４を有する。
【００６２】
本実施形態の発光体制御部１１１は、情報発信装置２００から、点灯形態の変更の指示を受け付けると、発光体１０１から発光される光の色を変更する。尚、発光体１０１から発光される光の色は、情報発信装置２００から指示されるものであって良い。
【００６３】
ビーコン発信部１１２は、街路灯１００の通信装置１０２により、街路灯１００を中心とする所定範囲の領域に到達するビーコン信号を発信する。
【００６４】
応答受信部１１３は、ビーコン信号を受信した携帯端末３００から、ビーコン信号に対する応答として、携帯端末３００のユーザＩＤを受信する。本実施形態では、携帯端末３００は、例えば携帯電話やスマートフォン等のような通話機能を有しているものとし、ビーコン信号に対する応答として、自機の電話番号を街路灯１００に送信しても良い。
【００６５】
尚、携帯端末３００が、ビーコン信号の応答として街路灯１００に送信する応答信号は、電話番号に限定されない。携帯端末３００が送信する応答信号は、携帯端末３００を識別する識別子となり得る情報を示す信号であれば、どのような信号であっても良い。本実施形態では、携帯端末３００の識別子は、携帯端末３００のユーザを特定するユーザＩＤであっても良い。
【００６６】
識別子送信部１１４は、ビーコン信号の応答として携帯端末３００から受信したユーザＩＤを、ユーザＩＤを受信した時刻を示す情報と、自機（街路灯１００）を識別する街路灯ＩＤと対応付けて、情報発信装置２００へ送信する。以下の説明では、識別子送信部１１４から情報発信装置２００へ送信される情報を、端末検出情報と呼ぶ。
【００６７】
次に、情報発信装置２００について説明する。本実施形態の情報発信装置２００は、情報発信処理部２４０を有する。情報発信処理部２４０は、情報発信装置２００の演算処理装置２６がメモリ装置２５等に格納された情報発信プログラムを読み出して実行することで実現される。
【００６８】
本実施形態の情報発信処理部２４０は、入力受付部２４１、待ち合わせ情報格納部２４２、通信部２４３、データベース参照部２４４、到着判定部２４５、到着時刻情報格納部２４６、点灯制御部２４７を有する。
【００６９】
入力受付部２４１は、情報発信装置２００に対する各種の入力を受け付ける。具体的には、入力受付部２４１は、情報発信装置２００に対する待ち合わせ情報の入力等を受け付ける。
【００７０】
待ち合わせ情報格納部２４２は、入力受付部２４１が受け付けた待ち合わせ情報を、待ち合わせ管理データベース２２０に格納する。
【００７１】
通信部２４３は、情報発信装置２００と外部装置との通信を行う。具体的には、通信部２４３は、街路灯１００から送信される端末検出情報を受信する。また、通信部２４３は、街路灯１００に対して、点灯形態の変更指示を示す情報を送信する。
【００７２】
データベース参照部２４４は、情報発信処理部２４０の処理に応じたデータベースを参照する。
【００７３】
到着判定部２４５は、待ち合わせ場所に、待ち合わせるグループに属するユーザが到着したか否かを判定する。
【００７４】
到着時刻情報格納部２４６は、通信部２４３によって街路灯１００から受信した端末検出情報に含まれるユーザＩＤと、時刻を示す情報とに基づき、到着時刻情報を生成し、到着時刻データベース２３０へ格納する。
【００７５】
点灯制御部２４７は、到着判定部２４５により、待ち合わせるグループに属するユーザが待ち合わせ場所に到着としたと判定された場合に、通信部２４３により、待ち合わせ場所とされた街路灯１００以外の街路灯１００に対して点灯形態の変更指示を通知する。
【００７６】
次に、携帯端末３００について説明する。本実施形態の携帯端末３００は、街路灯通信部３１０を有する。
【００７７】
本実施形態の街路灯通信部３１０は、例えば、街路灯１００から発信されるビーコン信号に対する応答として、ユーザＩＤを街路灯１００へ送信する。
【００７８】
尚、図８の例では、情報発信システム１には、街路灯１００、情報発信装置２００、携帯端末３００が含まれるものとしているが、これに限定されない。本実施形態では、街路灯１００と情報発信装置２００とを含む情報発信システム１０としても良い。
【００７９】
次に、図９を参照して、本実施形態の情報発信装置２００の動作を説明する。図９は、第一の実施形態の情報発信装置の動作を説明するフローチャートである。
【００８０】
本実施形態の情報発信装置２００の情報発信処理部２４０は、通信部２４３により、端末検出情報を受信したか否かを判定する（ステップＳ９０１）。ステップＳ９０１において、端末検出情報を受信しない場合、情報発信処理部２４０は、端末検出情報を受信するまで待機する。
【００８１】
ステップＳ９０１において、端末検出情報を受信した場合、情報発信処理部２４０は、端末検出情報を送信した街路灯１００が待ち合わせ場所であるか否かを判定する（ステップＳ９０２）。
【００８２】
具体的には、情報発信処理部２４０は、データベース参照部２４４により、待ち合わせ管理データベース２２０を参照し、待ち合わせ街路灯ＩＤが、端末検出情報に含まれる街路灯ＩＤと一致する待ち合わせ情報が格納されているか否かを判定する。待ち合わせ管理データベース２２０に、該当する待ち合わせ情報が格納されている場合、情報発信処理部２４０は、到着判定部２４５により、端末検出情報に含まれるユーザＩＤが、該当する待ち合わせ情報に含まれるユーザＩＤの何れかと一致するか否かを判定する。
【００８３】
ここで、到着判定部２４５は、端末検出情報に含まれるユーザＩＤが、該当する待ち合わせ情報に含まれるユーザＩＤの何れかと一致する場合に、端末検出情報を送信した街路灯が待ち合わせ場所であると判定する。
【００８４】
ステップＳ９０２において、端末検出情報を送信した街路灯１００が待ち合わせ場所でないと判定された場合、情報発信処理部２４０は、ステップＳ９０１へ戻る。
【００８５】
ステップＳ９０２において、端末検出情報を送信した街路灯１００が待ち合わせ場所であると判定された場合、情報発信処理部２４０は、到着時刻情報格納部２４６により、端末検出情報に含まれるユーザＩＤと時刻を示す情報とを、待ち合わせ情報に含まれる待ち合わせＩＤと対応付けて到着時刻情報とし、到着時刻データベース２３０へ格納する（ステップＳ９０３）。
【００８６】
続いて、情報発信処理部２４０は、点灯制御部２４７により、端末検出情報を送信した街路灯１００以外の街路灯１００に対して、点灯形態の変更指示を、通信部２４３を介して送信し（ステップＳ９０４）、処理を終了する。
【００８７】
尚、本実施形態において、点灯形態の変更指示の送信先となる街路灯１００は、例えば、待ち合わせ場所とされた街路灯１００を中心として、所定の範囲内に設置された街路灯１００であっても良い。また、点灯形態の変更指示は、例えば、待ち合わせ場所とされた街路灯１００の発光体１０１が発光する光の色以外の色とする指示であっても良いし、発光体１０１の点灯／消灯を繰り返し、点滅させるようにする指示であっても良い。また、点灯形態の変更指示は、例えば、待ち合わせ場所となる街路灯１００からの距離に応じて、光の色を変更する指示であっても良い。
【００８８】
本実施形態の点灯形態の変更指示は、待ち合わせ場所とされた街路灯１００の点灯形態と、待ち合わせ場所とされた街路灯１００以外の街路灯１００の点灯形態とが区別できるようになる指示であれば良い。
【００８９】
また、本実施形態では、情報発信装置２００において、待ち合わるグループに属するユーザが、待ち合わせ場所に到着する度に、点灯形態の変更指示を行っても良い。また、本実施形態では、待ち合わせるグループに属するユーザの一人が待ち合わせ場所に到着したときのみ、点灯形態の変更指示を行っても良い。
【００９０】
このように、本実施形態では、携帯端末３００の発呼等を用いなくても、待ち合わせるグループに属するユーザの待ち合わせ場所への到着を、他のユーザは近隣の街路灯の点灯形態の変更を確認することにより認識できる。
【００９１】
したがって、本実施形態では、例えば、待ち合わせ場所に到着していないユーザに対し、待ち合わせ場所への速やかに移動を促すことができる。また、本実施形態では、例えば、待ち合わせ時刻よりも早い時間に待ち合わせ場所に到着したユーザが、待ち合わせ時刻となるまで、街路灯を確認できる場所で過ごす場合等に、このユーザに対して、待ち合わせ相手が到着したことを通知できる。
【００９２】
（第二の実施形態）
以下に、図面を参照して第二の実施形態について説明する。第二の実施形態では、待ち合わせ場所に到着していないユーザの移動に応じて、待ち合わせ場所の街路灯以外の街路灯の点灯形態を変更する点が、第一の実施形態と相違する。以下の第二の実施形態の説明では、第一の実施形態と同様の機能構成を有するものには、第一の実施形態の説明で用いた符号と同様の符号を付与し、その説明を省略する。
【００９３】
図１０は、第二の実施形態の情報発信システムのシステム構成の一例を示す図である。本実施形態の情報発信システム１Ａは、街路灯１００−１、１００−２、１００−３と、情報発信装置２００Ａと、携帯端末３００と、を有する。
【００９４】
本実施形態の情報発信装置２００Ａは、街路灯データベース２１０Ａ、待ち合わせ管理データベース２２０、到着時刻データベース２３０、ユーザデータベース２６０、情報発信処理部２４０Ａを有する。
【００９５】
以下に、図１１及び図１２を参照して、本実施形態の街路灯データベース２１０Ａと、ユーザデータベース２６０について説明する。
【００９６】
図１１は、第二の実施形態の街路灯データベースの一例を示す図である。本実施形態の街路灯データベース２１０Ａは、情報の項目として、街路灯ＩＤ、設置場所、対応施設を有し、項目「街路灯ＩＤ」と他の項目とが対応付けられている。
【００９７】
項目「対応施設」の値は、街路灯ＩＤによって特定される街路灯１００の設置場所と対応する施設の施設名を示す。この施設名は、例えば、街路灯ＩＤによって特定される街路灯１００が敷地内に含まれる施設の施設名であっても良い。
【００９８】
図１１の例では、街路灯ＩＤ「Ｇ００１」の街路灯１００は、例えば、△公園と対応付けられており、△公園の敷地内に設けられていても良い。また、街路灯ＩＤ「Ｇ００２」の街路灯１００は、例えば、ＡＡストアと対応付けられており、ＡＡストアの敷地内や近傍に設けられていても良い。
【００９９】
図１２は、第二の実施形態のユーザデータベースの一例を示す図である。本実施形態のユーザデータベース２６０は、情報の項目として、ユーザＩＤと氏名とを有し、これらは対応付けられている。項目「氏名」の値は、ユーザＩＤによって特定されるユーザの氏名を示す。以下の説明では、項目「ユーザＩＤ」の値と、項目「氏名」の値とを含む情報をユーザ情報と呼ぶ。
【０１００】
尚、図１２の例では、ユーザの氏名をユーザＩＤと対応付けるものとしたが、これに限定されない。ユーザデータベース２６０では、ユーザの氏名の代わりに、ニックネームや、携帯端末３００の電話番号、メールアドレス等を用いても良い。
【０１０１】
また、ユーザデータベース２６０は、情報の項目として、ユーザが所属する企業名や、部署名等が含まれていても良い。
【０１０２】
次に、図１３を参照して、本実施形態の情報発信システム１Ａの有する各装置の機能について説明する。
【０１０３】
図１３は、第二の実施形態の情報発信システムの有する各装置の機能を説明する図である。
【０１０４】
本実施形態の情報発信システム１Ａの情報発信装置２００Ａは、情報発信処理部２４０Ａを有する。
【０１０５】
本実施形態の情報発信処理部２４０Ａは、入力受付部２４１、待ち合わせ情報格納部２４２、通信部２４３、データベース参照部２４４、到着判定部２４５Ａ、到着時刻情報格納部２４６、点灯制御部２４７、通過判定部２４８、メッセージ通知部２４９、テーブル管理部２５０、時刻比較部２５１を有する。
【０１０６】
到着判定部２４５Ａは、時刻比較部２５１による比較の結果に応じて、ユーザが待ち合わせ場所に到着したか否かを判定する。到着判定部２４５Ａの詳細は後述する。
【０１０７】
通過判定部２４８は、待ち合わせるグループに属するユーザが、待ち合わせ場所の街路灯１００以外の街路灯１００の近傍を通過したか否かを判定する。尚、街路灯１００の近傍とは、街路灯１００から発信されるビーコン信号が到達する所定範囲の領域を示す。
【０１０８】
より具体的には、通過判定部２４８は、待ち合わせ管理データベース２２０において、待ち合わせ街路灯ＩＤによって特定される街路灯１００以外の街路灯１００から、端末検出情報を受信したか否かを判定する。そして、通過判定部２４８は、該当する端末検出情報を受信したとき、待ち合わせ場所の街路灯１００以外の街路灯１００の近傍を、待ち合わせるグループに属するユーザが通過したと判定する。
【０１０９】
メッセージ通知部２４９は、通過判定部２４８により、待ち合わせ場所に、待ち合わせるグループに属するユーザが到着すると、待ち合わせ場所に到着していないユーザの携帯端末３００に対し、メッセージを送信する。具体的には、メッセージ通知部２４９は、グループに属するユーザが待ち合わせ場所に到着していることを示すメッセージを、待ち合わせ場所に到着していないユーザの携帯端末３００へ送信する。
【０１１０】
テーブル管理部２５０は、待ち合わせ管理データベース２２０において、テーブルとされる待ち合わせ情報を管理する。具体的には、テーブル管理部２５０は、携帯端末３００から、待ち合わせの条件の入力を受け付けると、待ち合わせ情報を生成して待ち合わせ管理データベース２２０へ格納する。テーブル管理部２５０による待ち合わせ情報の生成の処理の詳細は後述する。
【０１１１】
また、テーブル管理部２５０は、待ち合わせるグループに所属するユーザが全員待ち合わせ場所へ到着した後に、この待ち合わせ情報を削除しても良い。
【０１１２】
時刻比較部２５１は、端末検出情報に含まれる時刻を示す情報と、待ち合わせ情報に含まれる待ち合わせ時刻とを比較する。
【０１１３】
本実施形態の到着判定部２４５Ａは、時刻比較部２５１による比較の結果に応じて、端末検出情報に含まれるユーザＩＤが示すユーザが、待ち合わせのために待ち合わせ場所に到着したか否かを判定する。具体的には、到着判定部２４５Ａは、端末検出情報に含まれる時刻と、待ち合わせ情報に含まれる待ち合わせ時刻との差が、所定の時間（例えば、１０分間等）より長い場合には、ユーザが待ち合わせ場所に到着していないものと判定する。そして、到着判定部２４５Ａは、端末検出情報に含まれる時刻と、待ち合わせ情報に含まれる待ち合わせ時刻との差が、所定の時間（例えば、１０分間等）以内の場合に、ユーザが待ち合わせ場所に到着したものと判定する。
【０１１４】
このようにすれば、例えば、ユーザが、待ち合わせ時刻よりも大幅に早く待ち合わせ場所に到着した場合には、他のユーザに対して、待ち合わせ場所への集合を急かすことがない。
【０１１５】
また、例えば、ユーザが待ち合わせ時刻よりも到着が大幅に遅れた場合等には、他のユーザと連絡を取り合っていることが想定される。このような場合には、不要に街路灯１００の点灯形態を変更することを防止できる。
【０１１６】
尚、図１３の例では、情報発信システム１Ａには、街路灯１００、情報発信装置２００Ａ、携帯端末３００が含まれるものとしているが、これに限定されない。本実施形態では、街路灯１００と情報発信装置２００Ａとを含む情報発信システム１０Ａとしても良い。
【０１１７】
次に、図１４を参照して、本実施形態のテーブル管理部２５０による待ち合わせ情報の生成について説明する。図１４は、第二の実施形態のテーブル管理部による待ち合わせ情報の生成の処理を説明するフローチャートである。
【０１１８】
本実施形態の情報発信処理部２４０Ａにおいて、テーブル管理部２５０は、入力受付部２４１により、携帯端末３００における、待ち合わせの条件の入力を受け付けたか否かを判定する（ステップＳ１４０１）。待ち合わせの条件とは、待ち合わせの場所となる施設名と、ユーザの氏名と、待ち合わせの時刻を含む。
【０１１９】
ステップＳ１４０１において、待ち合わせの条件の入力を受け付けない場合、テーブル管理部２５０は、待ち合わせの条件の入力を受け付けるまで待機する。
【０１２０】
ステップＳ１４０１において、待ち合わせの条件の入力を受け付けると、テーブル管理部２５０は、街路灯データベース２１０Ａを参照して、対応する街路灯ＩＤを特定し、待ち合わせ街路灯ＩＤとする（ステップＳ１４０２）。続いて、テーブル管理部２５０は、ユーザデータベース２６０を参照し、待ち合わせの条件に含まれるユーザの氏名と対応するユーザＩＤを取得する（ステップＳ１４０３）。
【０１２１】
次に、テーブル管理部２５０は、待ち合わせ街路灯ＩＤ、ユーザＩＤ、待ち合わせ時刻を対応付けて、待ち合わせＩＤを付与し、待ち合わせ情報を生成する（ステップＳ１４０４）。そして、テーブル管理部２５０は、生成した待ち合わせ情報を待ち合わせ管理データベース２２０において管理されるテーブルへ格納し（ステップＳ１４０５）、処理を終了する。
【０１２２】
次に、図１５を参照して、本実施形態の情報発信装置２００Ａの動作について説明する。図１５は、第二の実施形態の情報発信装置の動作を説明するフローチャートである。
【０１２３】
図１５のステップＳ１５０１とステップＳ１５０２の処理は、ステップＳ１５０２においてＮｏの場合に後述するステップＳ１５０６へ進む以外は、図９のステップＳ９０１とステップＳ９０２の処理と同様であるから、説明を省略する。
【０１２４】
ステップＳ１５０２において、端末検出情報を送信した街路灯１００が、待ち合わせ場所の街路灯１００であった場合、情報発信処理部２４０Ａは、時刻比較部２５１により、端末検出情報を送信した街路灯１００の街路灯ＩＤを待ち合わせ街路灯ＩＤと対応する待ち合わせ時刻と、端末検出情報に含まれる時刻とを比較する（ステップＳ１５０３）。
【０１２５】
続いて、情報発信処理部２４０Ａは、到着判定部２４５Ａにより、端末検出情報に含まれる時刻と、待ち合わせ時刻との差が、所定の時間内であるか否かを判定する（ステップＳ１５０４）。
【０１２６】
ステップＳ１５０４において、所定の時間内ではない場合、つまり、端末検出情報に含まれる時刻と待ち合わせ時刻との差が所定の時間より長い場合、情報発信処理部２４０Ａは、後述するステップＳ１５０６へ進む。
【０１２７】
ステップＳ１５０４において、所定の時間内である場合、情報発信処理部２４０Ａは、到着時刻情報格納部２４６により、端末検出情報に含まれるユーザＩＤと時刻を示す情報とを、待ち合わせ情報に含まれる待ち合わせＩＤと対応付けて到着時刻情報とし、到着時刻データベース２３０へ格納する（ステップＳ１５０５）。
【０１２８】
続いて、情報発信処理部２４０Ａは、通過判定部２４８により、待ち合わせ情報に含まれる待ち合わせ街路灯ＩＤが示す街路灯１００以外の街路灯１００の近傍を、待ち合わせ場所に到着したユーザ以外のユーザが通過したか否かを判定する（ステップＳ１５０６）。
【０１２９】
具体的には、通過判定部２４８は、待ち合わせ街路灯ＩＤ以外の街路灯ＩＤを含む端末検出情報を受信したか否かを判定する。
【０１３０】
ステップＳ１５０６において、待ち合わせ場所に到着したユーザ以外のユーザが通過を検出しない場合、情報発信処理部２４０Ａは、ステップＳ１５０１へ戻る。
【０１３１】
ステップＳ１５０６において、待ち合わせ場所に到着したユーザ以外のユーザが通過を検出した場合、情報発信処理部２４０Ａは、到着判定部２４５Ａにより、通過したユーザの待ち合わせ相手のユーザが、待ち合わせ場所に到着しているか否かを判定する（ステップＳ１５０７）。
【０１３２】
具体的には、到着判定部２４５Ａは、待ち合わせ管理データベース２２０を参照し、ステップＳ１５０６で受信した端末検出情報に含まれるユーザＩＤと対応付けられた待ち合わせＩＤを取得する。そして、到着判定部２４５Ａは、到着時刻データベース２３０を参照し、取得した待ち合わせＩＤを含む到着時刻情報が存在する場合に、通過が検出されたユーザの待ち合わせの相手であるユーザが、待ち合わせ場所に到着していると判定する。
【０１３３】
ステップＳ１５０７において、通過したユーザの待ち合わせ相手のユーザが、待ち合わせ場所に到着していない場合、情報発信処理部２４０Ａは、ステップＳ１５０１へ戻る。
【０１３４】
ステップＳ１５０７において、通過したユーザの待ち合わせ相手のユーザが、待ち合わせ場所に到着している場合、情報発信処理部２４０Ａは、点灯制御部２４７により、端末検出情報を送信した街路灯１００以外の街路灯１００に対して、点灯形態の変更指示を、通信部２４３を介して送信する（ステップＳ１５０８）。
【０１３５】
尚、このとき、点灯形態の変更指示の送信先となる街路灯１００は、ユーザが通過した街路灯１００であっても良いし、ユーザが通過した街路灯１００から、待ち合わせ場所となる街路灯１００までの間に存在する全ての街路灯１００であっても良い。また、点灯形態の変更指示の送信先となる街路灯１００は、ユーザが通過した街路灯１００を中心とした所定範囲内に設置された街路灯１００であっても良い。
【０１３６】
続いて、情報発信処理部２４０Ａは、メッセージ通知部２４９により、通過が検出されたユーザの携帯端末３００に対し、待ち合わせるグループに属するユーザが、待ち合わせ場所に到着していることを示すメッセージを送信する（ステップＳ１５０９）。
【０１３７】
具体的には、メッセージ通知部２４９は、到着時刻データベース２３０を参照し、待ち合わせＩＤと対応付けられたユーザＩＤを取得する。そして、メッセージ通知部２４９は、ユーザデータベース２６０を参照し、取得したユーザＩＤと対応するユーザの氏名と、このユーザが待ち合わせ場所に到着したことを示す通知と、をメッセージとして、通過が検出されたユーザの携帯端末３００へ送信する。
【０１３８】
続いて、情報発信処理部２４０Ａは、待ち合わせ情報に含まれる全てのユーザＩＤが示すユーザが待ち合わせ場所に到着したか否かを判定する（ステップＳ１５１０）。具体的には、情報発信処理部２４０Ａは、到着時刻データベース２３０において、待ち合わせ情報に含まれる全てのユーザＩＤを含む到着時刻情報が格納されているか否か判定する。そして、情報発信処理部２４０Ａは、該当する情報が全て到着時刻データベース２３０に格納されている場合に、待ち合わせるグループに属する全てのユーザが待ち合わせ場所に到着したものと判定する。
【０１３９】
ステップＳ１５１０において、待ち合わせるグループに属する全てのユーザが待ち合わせ場所に到着していないと判定された場合、情報発信処理部２４０Ａは、ステップＳ１５０１へ戻る。
【０１４０】
ステップＳ１５１０において、待ち合わせるグループに属する全てのユーザが待ち合わせ場所に到着したと判定された場合、情報発信処理部２４０Ａは、処理を終了する。尚、このとき、テーブル管理部２５０は、待ち合わせ管理データベース２２０から、待ち合わせるグループに属する全てのユーザが待ち合わせ場所に到着したと判定された待ち合わせ情報を、削除しても良い。
【０１４１】
以下に、図１６を参照して、本実施形態の携帯端末３００における表示例について説明する。図１６は、第二の実施形態の携帯端末における表示例を示す図である。
【０１４２】
図１６の画面３０１は、待ち合わせ場所となる街路灯１００以外の街路灯１００の通過が検出されたユーザの携帯端末３００−２に表示された画面の例を示している。
【０１４３】
画面３０１は、例えば、待ち合わせ場所が街路灯１００−１とし、街路灯１００−１にユーザＩＤ「Ｕ００１」のユーザが到着していた場合において、ユーザＩＤ「Ｕ００２」のユーザが街路灯１００−２の近傍を通過した場合に、ユーザＩＤ「Ｕ００２」のユーザの携帯端末３００−２に表示される。
【０１４４】
街路灯１００−２は、ユーザＩＤ「Ｕ００２」を含む応答信号を受信し、ユーザＩＤ「Ｕ００２」を含む端末検出情報を情報発信装置２００Ａへ送信する。
【０１４５】
情報発信装置２００Ａでは、到着時刻データベース２３０において、ユーザＩＤ「Ｕ００２」を含む待ち合わせ情報２２１の待ち合わせＩＤ「Ｍ００１」を含む到着時刻情報２３１が格納されている（図６、図７参照）。したがって、情報発信装置２００Ａは、ユーザＩＤ「Ｕ００２」のユーザの待ち合わせ相手であるユーザＩＤ「Ｕ００１」のユーザが、待ち合わせ場所とされた待ち合わせ街路灯ＩＤ「Ｇ００１」で特定される街路灯１００の近傍に、既に到着しているものと判定する。
【０１４６】
そこで、情報発信装置２００Ａは、ユーザデータベース２６０を参照し、ユーザＩＤ「Ｕ００２」で特定される携帯端末３００−２に対し、ユーザＩＤ「Ｕ００１」の氏名である「○○さん」が待ち合わせ場所に到着したことを示すメッセージを送信する。
【０１４７】
携帯端末３００−２では、画面３０１に、「○○さんが待ち合わせ場所に到着しました。」というメッセージ３０２が表示される。
【０１４８】
本実施形態では、このメッセージ３０２によって、ユーザＩＤ「Ｕ００２」で特定される携帯端末３００のユーザに対し、待ち合わせ相手が待ち合わせ場所に到着したことを通知できる。したがって、本実施形態によれば、ユーザＩＤ「Ｕ００２」のユーザに対して、待ち合わせ場所への速やかな移動を促すことができる。
【０１４９】
また、本実施形態では、画面３０１に、ユーザＩＤ「Ｕ００２」のユーザの現在位置から、待ち合わせ場所に移動するまでにかかる移動時間を含むメッセージ３０３を表示させても良い。移動時間は、例えば、携帯端末３００−２が、ＧＰＳ（Global Positioning System）等によって自機の位置を検出し、待ち合わせ場所の位置を示す情報と、携帯端末３００−２の移動速度等に応じて算出しても良い。また、携帯端末３００−２は、算出した待ち合わせ場所までの移動時間を、情報発信装置２００Ａに送信しても良い。
【０１５０】
また、本実施形態では、例えば、待ち合わせ場所に到着しているユーザの人数や、到着しているユーザ全員の氏名等を、待ち合わせ場所に到着していないユーザの携帯端末３００−２に表示させても良い。
【０１５１】
以上のように、本実施形態では、待ち合わせるグループにおいて、待ち合わせ場所に到着していないユーザに対し、待ち合わせ場所に到着したユーザがいることを通知することができる。
【０１５２】
（第三の実施形態）
以下に、図面を参照して第三の実施形態について説明する。第三の実施形態では、待ち合わせ場所に到着したユーザに対して、待ち合わせ場所に到着していないユーザの位置等を通知する点のみ、第二の実施形態と相違する。以下の第三の実施形態の説明では、第二の実施形態と同様の機能構成を有するものには、第二の実施形態の説明で用いた符号と同様の符号を付与し、その説明を省略する。
【０１５３】
図１７は、第三の実施形態の情報発信装置の動作を説明するフローチャートである。
【０１５４】
図１７のステップＳ１７０１からステップＳ１７０９までの処理は、図１５のステップＳ１５０１からステップＳ１５０９までの処理と同様であるから、説明を省略する。
【０１５５】
ステップＳ１７０９に続いて、情報発信処理部２４０Ａは、メッセージ通知部２４９により、待ち合わせ場所に到着しているユーザの携帯端末３００に対し、待ち合わせ場所に向かっているユーザが存在することを示すメッセージを送信し（ステップＳ１７１０）、ステップＳ１７１１へ進む。
【０１５６】
ステップＳ１７１１は、図１５のステップＳ１５１０の処理と同様であるから、説明を省略する。
【０１５７】
図１８は、第三の実施形態の携帯端末における表示例を示す図である。図１８の画面３０４は、待ち合わせ場所に到着したユーザの携帯端末３００−１に表示された画面の例を示している。
【０１５８】
図１８に示す画面３０４は、例えば、図１６に示す画面３０１が携帯端末３００−２に表示されたときに、待ち合わせ場所に到着しているユーザＩＤ「Ｕ００１」によって特定されるユーザが所持する携帯端末３００−１に表示される。
【０１５９】
情報発信装置２００Ａは、例えば、街路灯ＩＤ「Ｇ００２」から、ユーザＩＤ「Ｕ００２」を含む端末検出情報を受信すると、待ち合わせ管理データベース２２０を参照し、ユーザＩＤ「Ｕ００２」を含む待ち合わせ情報の待ち合わせＩＤを取得する。また、情報発信装置２００Ａは、街路灯データベース２１０Ａを参照し、街路灯ＩＤ「Ｇ００２」と対応付けられた施設名を取得する。また、情報発信装置２００Ａは、ユーザデータベース２６０を参照し、ユーザＩＤ「Ｕ００２」と対応するユーザの氏名を取得する。さらに、情報発信装置２００Ａは、到着時刻データベース２３０において、取得した待ち合わせＩＤと対応付けられたユーザＩＤ「Ｕ００１」を特定する。
【０１６０】
そして、情報発信装置２００Ａは、ユーザＩＤ「Ｕ００１」によって特定される携帯端末３００−１に対し、ユーザＩＤ「Ｕ００２」と対応する氏名「××」のユーザが、街路灯ＩＤ「Ｇ００２」と対応する施設名の施設を通過したことを示すメッセージ３０５を表示させる。
【０１６１】
携帯端末３００−１では、画面３０４に、「××さんがＡＡストアを通過しました。」というメッセージ３０５が表示される。
【０１６２】
また、画面３０４では、ユーザＩＤ「Ｕ００２」のユーザの現在位置から、待ち合わせ場所に移動するまでにかかる移動時間を含むメッセージ３０６を表示させても良い。メッセージ３０６に含まれる移動時間は、例えば、情報発信装置２００Ａが携帯端末３００−２に画面３０１を表示させた際に、携帯端末３００−２によって算出され、携帯端末３００−２から情報発信装置２００Ａに送信された移動時間であっても良い。
【０１６３】
以上のように、本実施形態では、待ち合わせるグループにおいて、先に待ち合わせ場所に到着したユーザに対し、待ち合わせ場所に向かっているユーザの場所や、待ち合わせ場所へ到着するまでの時間等を知らせることができる。
【０１６４】
開示の技術では、以下に記載する付記のような形態が考えられる。
（付記１）
待ち合わせ場所に設定された街路灯のＩＤと、当該街路灯で待ち合わせるグループに属するユーザそれぞれのＩＤとを対応付けて格納するテーブルと、
携帯端末が送信し、前記街路灯が受信したユーザのＩＤ及び当該ユーザのＩＤを受信した前記街路灯のＩＤを前記テーブルと参照する参照部と、
前記街路灯が受信したユーザのＩＤ及び当該ユーザのＩＤを受信した街路灯のＩＤに基づいて、前記待ち合わせ場所に設定された街路灯にユーザが到着したか否かを判定する判定部と、
前記ユーザの前記待ち合わせ場所への到着に応答して、ユーザのＩＤを受信した前記待ち合わせ場所以外の街路灯の点灯形態を変更する点灯制御部と、
を有することを特徴とする情報発信装置。
（付記２）
前記待ち合わせ場所以外の街路灯が、携帯端末が送信した、前記グループに属するユーザのＩＤを受信したか否かを判定する通過判定部を有し、
前記点灯制御部は、
前記通過判定部により、前記ユーザのＩＤを受信したと判定されたとき、前記待ち合わせ場所以外の街路灯の点灯形態を変更することを特徴とする付記１記載の情報発信装置。
（付記３）
前記待ち合わせ場所以外の街路灯が受信した前記ユーザのＩＤによって特定される携帯端末に対し、前記待ち合わせ場所への到着したユーザが存在することを通知する通知部を有することを特徴とする付記２記載の情報発信装置。
（付記４）
前記通知部は、
前記待ち合わせ場所への到着したユーザのＩＤによって特定される携帯端末に対し、前記待ち合わせ場所以外の街路灯を通過したユーザが存在することを通知することを特徴とする付記３記載の情報発信装置。
（付記５）
待ち合わせ場所と、待ち合わせ時刻と、前記グループに属するユーザそれぞれのＩＤと、の入力を受け付ける入力受付部と、
前記街路灯のＩＤと、前記街路灯が設置された場所を示す情報と、前記場所と対応する施設名とが対応付けられ情報が格納された記憶部を参照し、前記待ち合わせ場所と対応する街路灯のＩＤと、前記待ち合わせ時刻と、前記ユーザそれぞれのＩＤと、を含む待ち合わせ情報を生成し、前記テーブルに格納する格納部と、を有することを特徴とする付記１乃至４の何れか一項に記載の情報発信装置。
（付記６）
前記待ち合わせ場所に設定された街路灯が前記ユーザのＩＤを受信した時刻と、前記待ち合わせ時刻とを比較する比較部を有し、
前記判定部は、
前記受信した時刻と、前記待ち合わせ時刻との差が、所定の時間以内である場合に、前記ユーザが前記待ち合わせ場所に到着したと判定することを特徴とする付記１乃至５の何れか一項に記載の情報発信装置。
（付記７）
コンピュータによる情報発信方法であって、該コンピュータが、
携帯端末が送信し、待ち合わせ場所に設定された街路灯が受信したユーザのＩＤ及び当該ユーザのＩＤを受信した前記街路灯のＩＤを、待ち合わせ場所に設定された街路灯のＩＤと、当該街路灯で待ち合わせるグループに属するユーザそれぞれのＩＤとを対応付けて格納するテーブルと参照し、
前記街路灯が受信したユーザのＩＤ及び当該ユーザのＩＤを受信した街路灯のＩＤに基づいて、前記待ち合わせ場所に設定された街路灯にユーザが到着したか否かを判定し、
前記ユーザの前記待ち合わせ場所への到着に応答して、ユーザのＩＤを受信した前記待ち合わせ場所以外の街路灯の点灯形態を変更する、
ことを特徴とする情報発信方法。
（付記８）
携帯端末が送信し、待ち合わせ場所に設定された街路灯が受信したユーザのＩＤ及び当該ユーザのＩＤを受信した前記街路灯のＩＤを、待ち合わせ場所に設定された街路灯のＩＤと、当該街路灯で待ち合わせるグループに属するユーザそれぞれのＩＤとを対応付けて格納するテーブルと参照し、
前記街路灯が受信したユーザのＩＤ及び当該ユーザのＩＤを受信した街路灯のＩＤに基づいて、前記待ち合わせ場所に設定された街路灯にユーザが到着したか否かを判定し、
前記ユーザの前記待ち合わせ場所への到着に応答して、ユーザのＩＤを受信した前記待ち合わせ場所以外の街路灯の点灯形態を変更する、処理をコンピュータに実行させることを特徴とする情報発信プログラム。
（付記９）
街路灯と、前記街路灯と通信する情報発信装置と、を有する情報発信システムであって、
前記街路灯は、
携帯端末からのユーザのＩＤの受信に応答して、前記ユーザのＩＤ及び前記街路灯のＩＤを前記情報発信装置に送信する識別子送信部
を有し、
前記情報発信装置は、
待ち合わせ場所に設定された街路灯のＩＤと、当該街路灯で待ち合わせるグループに属するユーザそれぞれのＩＤとを対応付けて格納するテーブルと、
前記街路灯の前記識別子送信部から受信した前記ユーザのＩＤ及び前記街路灯のＩＤを前記テーブルと参照する参照部と、
前記街路灯が受信したユーザのＩＤ及び当該ユーザのＩＤを受信した街路灯のＩＤに基づいて、前記待ち合わせ場所に設定された街路灯にユーザが到着したか否かを判定する判定部と、
前記ユーザの前記待ち合わせ場所への到着に応答して、ユーザのＩＤを受信した前記待ち合わせ場所以外の街路灯の点灯形態を変更する点灯制御部と、
を有することを特徴とする情報発信システム。
（付記１０）
前記携帯端末を含むことを特徴とする付記９記載の情報発信システム。
【０１６５】
本発明は、具体的に開示された実施形態に限定されるものではなく、特許請求の範囲から逸脱することなく、種々の変形や変更が可能である。
【符号の説明】
【０１６６】
１、１Ａ、１０、１０Ａ  情報発信システム
１００  街路灯
１１０  通知制御部
２００、２００Ａ  情報発信装置
２１０、２１０Ａ  街路灯データベース
２２０  待ち合わせ管理データベース
２３０  到着時刻データベース
２４０、２４０Ａ  情報発信処理部
２４１  入力受付部
２４２  待ち合わせ情報格納部
２４３  通信部
２４４  データベース参照部
２４５、２４５Ａ  到着判定部
２４６  到着時刻情報格納部
２４７  点灯制御部
２４８  通過判定部
２４９  メッセージ通知部
２５０  テーブル管理部
２５１  時刻比較部
３００  携帯端末
３１０  街路灯通信部
【図１】
2019087405.tif 000003
【図２】
2019087405.tif 000004
【図３】
2019087405.tif 000005
【図４】
2019087405.tif 000006
【図５】
2019087405.tif 000007
【図６】
2019087405.tif 000008
【図７】
2019087405.tif 000009
【図８】
2019087405.tif 000010
【図９】
2019087405.tif 000011
【図１０】
2019087405.tif 000012
【図１１】
2019087405.tif 000013
【図１２】
2019087405.tif 000014
【図１３】
2019087405.tif 000015
【図１４】
2019087405.tif 000016
【図１５】
2019087405.tif 000017
【図１６】
2019087405.tif 000018
【図１７】
2019087405.tif 000019
【図１８】
2019087405.tif 000020